(57)【特許請求の範囲】
【請求項１】
本体に動作電源を供給する電源部を備えた電子機器において、
前記電源部が本体に供給し、本体で消費された消費電力を予め定めた時間間隔で測定する測定手段と、
前記測定手段により測定された消費電力を蓄積的に記憶する記憶手段と、
前記記憶手段に記憶している消費電力に基づいて、電気料金を計算する計算手段と、
前記計算手段が計算した計算結果を表示する表示信号を出力する出力手段と、を備え、
前記測定手段は、本体の電源がオンの状態にあるとき、予め定めた第１の時間間隔で、消費電力を測定し、本体の電源がオフの状態にあるとき、予め定めた第２の時間間隔で消費電力を測定する手段であり、
前記第１の時間間隔は前記第２の時間間隔よりも短い時間である、ことを特徴とする電子機器。
【請求項２】
前記測定手段は、本体の電源がオンの状態からオフの状態に切り替わった時、および本体の電源がオフからオンの状態に切り替わった時、その時点における消費電力の測定値を前記記憶手段に記憶させるとともに、この測定値をリセットする手段である、ことを特徴とする請求項１に記載の電子機器。
【請求項３】
前記記憶記手段は、消費電力を、１日毎に分割して記憶する手段である、ことを特徴とする請求項１または２に記載の電子機器。
【発明の詳細な説明】
【技術分野】
【０００１】
本発明は、電子機器における電力計に関する。
【背景技術】
【０００２】
従来、ユーザが使用している電子機器の消費電力を知るには、電気会社等からの電気料金の請求からであった。電気会社等から請求される電気料金は、ユーザが使用する電子機器の総和であって、個々の電子機器の電気料金をユーザが知るのは、電力計等の機器を電子機器毎に取り付ける必要がある。
【０００３】
また、特許文献１には、ユーザが個々の電子機器に電力計等を取り付けるのではなく、液晶パネルや、プラズマディスプレイパネルに電気料金の目安を表示することが提案されている。
【特許文献１】特開２００６−１６２２５３号公報
【発明の開示】
【発明が解決しようとする課題】
【０００４】
しかしながら、個々の電子機器に電力計等をユーザが取り付ける方法では、取り付ける手間がかかる。
【０００５】
また、特許文献１に記載されている構成では、ユーザは合計使用量を認識しやすいが、例えば、曜日毎での平均使用量、または、曜日毎での平均電気料金といった、消費電力の平均値、または、電気料金の平均値を認識することができない。
【０００６】
本発明の目的は、ユーザが消費電力及び電気料金を認識しやすくする。また、日々の合計電気料金や、曜日毎の電気料金の平均値を認識することにより、効率的な節電を行うことができる電子機器を提供することである。
【課題を解決するための手段】
【０００７】
本発明は上記課題を解決するために以下の構成である。
【０００８】
本体に動作電源を供給する電源部を備えた電子機器において、前記電源部が本体に供給し、本体で消費された消費電力を予め定めた時間間隔で測定する測定手段と、前記測定手段により測定された消費電力を蓄積的に記憶する記憶手段と、前記記憶手段に記憶している消費電力に基づいて、電気料金を計算する計算手段と、前記計算手段が計算した計算結果を表示する表示信号を出力する出力手段と、を備えたことを特徴とする。
【０００９】
本構成では、電源がオンの状態の消費電力と、電源がオフの状態の消費電力を別々に計算することになるので、消費電力に基づいて計算された電気料金がより正確な値となる。また、消費電力を蓄積的に記憶する記憶手段を備えているため、記憶させた消費電力に基づいて、消費電力の総和や平均値を求めることができる。また、ユーザは電気料金を電子機器で確認することが可能となるため、任意に消費電力の確認を行うことができる。
【００１０】
前記測定手段は、本体の電源がオンの状態にあるとき、予め定めた第１の時間間隔で、消費電力を測定し、本体の電源がオフの状態にあるとき、予め定めた第２の時間間隔で消費電力を測定する手段であり、前記第１の時間間隔は前記第２の時間間隔よりも短い時間である。
【００１１】
本構成では、本体の電源がオンの状態にある時、第１の時間間隔で消費電力を記憶する。本体の電源がオフの状態にある時、第２の時間間隔で消費電力を記憶する。第１の時間間隔は第２の時間間隔よりも短いことを特徴としている。電源がオフの状態にあるときには、消費電力は電源がオンの状態にあるときよりも高くない。そのため、測定手段は効率的に消費電力を測定し、測定結果を蓄積していくことができる。また、電源オフ時に頻繁に消費電力の記憶をさせないことで、節電の効果がある。
【００１２】
前記測定手段は、本体の電源がオンの状態からオフの状態に切り替わった時、および本体の電源がオフからオンの状態に切り替わった時、その時点における消費電力の測定値を前記記憶手段に記憶させるとともに、この測定値をリセットする手段である、ことを特徴とする。
【００１３】
本構成では、本体の電源がオンの状態からオフの状態へ、または、オフの状態からオンの状態に切り替わった時、消費電力の測定を効率良く行うことができる。また、測定された消費電力の蓄積も効率良く行える。
【００１４】
前記記憶記手段は、消費電力を、１日毎に分割して記憶する手段である、ことを特徴とする。
【００１５】
本構成では、測定された消費電力を１日毎に分割して記憶しているため、消費電力の消去や計算が効率的に行える。
【発明の効果】
【００１６】
本発明は、ユーザが消費電力及び電気料金を認識しやすくする。また、日々の合計電気料金や、曜日毎の電気料金の平均を知ることにより、効率的な節電を行うことができる。
【発明を実施するための最良の形態】
【００１７】
以下、本発明の実施形態について説明する。
【００１８】
図１は、本発明を適用したテレビジョン装置の主要部の構成を示すブロック図である。テレビジョン装置１は、操作部２、制御部３、電源部４、日時管理部５、消費電力検知部６、メモリ６０、表示部７を備えている。
【００１９】
操作部２は、操作キー、電源キー等を含んでいる。操作されたキーに応じた操作信号を制御部３へ送信する。
【００２０】
制御部３はＣＰＵ等を備え、テレビジョン装置１全体を制御している。操作部２から入力された操作信号に応じて、各ブロックへ指令を送信する。
【００２１】
電源部４は、本体の動作電源を供給している。
【００２２】
日時管理部５は、現在日時（年、月、日、時、分、秒）を管理している。
【００２３】
消費電力検知部６は、内部にメモリ６０を搭載している。電源がオンの状態にあるとき、予め定められている第１の時間間隔に基づいて、本体で消費された消費電力を測定する。測定した消費電力をメモリ６０に記憶させる。電源がオフの状態にあるとき、予め定められている第２の時間間隔に基づいて、本体で消費された消費電力を測定する。測定した消費電力をメモリ６０に記憶させる。メモリ６０が消費電力を記憶する処理の詳細は後述する。また、消費電力検知部６には、予め、単位電力当り（例えば１ｋｗ当り）の電気料金の目安が入力されている。この目安の値は、例えば、インタネットを介して単位電力当りの目安の電気料金を設定するものであっても良いし、ユーザが直接、単位電力当りの目安の電気料金を設定するものであっても良い。
【００２４】
表示部７は、メモリ６０に記憶されている消費電力を表示する。
【００２５】
なお、本実施例では、消費電力検知部６の内部にメモリ６０を搭載しているが、他の場所、例えば、制御部３に設けても良い。また、表示部７はテレビジョン装置１に設けていなくても良い。例えば、図示していないリモコン装置に表示させても良いし、図示していないネットワークを介して、他の電子機器と通信させ、他の電子機器に表示させても良い。
【００２６】
図２は、本実施例に係る消費電力検知部６が消費電力を一日毎に分割してメモリ６０に記憶させていることを示す模式図である。メモリ６０には、１月分の消費電力を記憶させる。最大で３１日分の消費電力を１日毎に分割して記憶している。１月が３１日に満たない時、その月の最後の日、例えば、２８日、３０日までの消費電力を１月分とする。日時管理部５が新しい月になったことを指示する。消費電力検知部６は、メモリ６０に記憶されている先月分の１日毎の消費電力を１月分の消費電力としてまとめる。そして、先月分の一日毎の消費電力は消去する。消去したのち、新たな月の分として再び、消費電力を一日毎に分割してメモリ６０に記憶させていく。１月分の消費電力としてまとめられたものは、例えば、１月の消費電力に基づく、電気料金の総和、曜日毎の平均消費電力、曜日毎の平均電気料金である。
【００２７】
日時管理部５が管理している現在日時に基づいて、消費電力検知部６はメモリ６０に記憶させる日時、第１の時間間隔、第２の時間間隔等を管理している。
【００２８】
図３は、本実施形態に係る消費電力検知部６が検知した消費電力をメモリ６０に記憶させる処理のフローチャートである。
【００２９】
ステップＳ１において、消費電力検知部６は、電源がオンの状態であるか、電源がオフの状態であるかの判断を行う。電源がオンの状態であると判断すると、ステップＳ２に進み、電源がオフの状態であると判断すると、ステップＳ４へ進む。
【００３０】
ステップＳ２において、消費電力検知部６は、予め設定している第１の時間間隔が経過したかどうかの判断を行う。第１の時間間隔が経過したと判断すると、ステップＳ６へ進み、第１の時間間隔が経過していないと判断すると、ステップＳ３へ進む。
【００３１】
ステップＳ３において、消費電力検知部６は、電源がオフの状態になったかどうかの判断を行う。電源がオフの状態になったと判断すると、ステップＳ６へ進み、電源がオンの状態のままであると判断すると、Ｓ２へ戻る。
【００３２】
ステップＳ４において、消費電力検知部６は、予め設定している第２の時間間隔が経過したかどうかの判断を行う。第２の時間間隔が経過したと判断すると、ステップＳ６へ進み、第２の時間間隔が経過していないと判断すると、ステップＳ５へ進む。
【００３３】
ステップＳ５において、消費電力検知部６は、電源がオンの状態になったかどうかの判断を行う。電源がオンの状態になったと判断すると、ステップＳ６へ進み、電源がオフの状態のままであると判断すると、ステップＳ４へ戻る。
【００３４】
ステップＳ６において、消費電力検知部６は、ステップＳ２、ステップＳ３、ステップＳ４、ステップＳ５、のそれぞれで測定された消費電力をメモリ６０に記憶させ、ステップＳ７へ進む。
【００３５】
ステップＳ７において、測定値をリセットし、再び、ステップＳ１に戻る。
【００３６】
図４は、本実施例に係るメモリ６０に記憶させた１日の消費電力例である。消費電力検知部６はメモリ６０に、一日毎に分割してその日の消費電力を記憶している。消費電力検知部６は、電源がオンの状態の時、測定した消費電力を第１の時間間隔でメモリ６０に記憶する。第１の時間間隔は、例えば、５分毎である。消費電力検知部６は、電源がオフの状態の時、測定した消費電力を第２の時間間隔でメモリ６０に記憶する。第２の時間間隔は、例えば、１時間毎である。第１の時間間隔と第２の時間間隔は、好ましくは、第１の時間間隔の方が第２の時間間隔よりも短い時間間隔である。こうすることにより、より効率的に消費電力検知部６は、消費電力をメモリ６０に記憶することができる。ユーザが００：１０にテレビジョン装置１の電源をオフにする。電源がオンの状態の時には、５分毎の時間間隔で消費電力をメモリ６０に記憶させるため、図４に示されている、消費電力が記憶される。電源がオフの状態のとき、１時間毎の時間間隔で消費電力をメモリ６０に記憶させるため、図４に示されている、消費電力が記憶される。次にユーザが７：３０に電源がオフの状態から電源がオンの状態に切り替える。電源をオフの状態からオンの状態に切り替えた時、消費電力検知部６は、メモリ６０にその時点における消費電力の測定値を記憶する。そして、消費電力検知部６は、この時点での測定値をリセットし、電源がオンの状態の時の時間間隔である５分毎にメモリ６０に測定した消費電力を記憶する。また、電源がオンからオフになった時は、消費電力検知部６はメモリ６０にその時点における消費電力の測定値を記憶する。そして、消費電力検知部６は、この時点での測定値をリセットし、電源がオフの状態の時の時間間隔である１時間毎に、メモリ６０に測定した消費電力を記憶する。
【００３７】
また、日時が変わる時、電源がオンの状態にあるか、オフの状態にあるかに関係なく、消費電力検知部６はメモリ６０に日付が変わる時点での消費電力の測定値を記憶する。そして、消費電力検知部６は、この時点での消費電力の測定をリセットし、電源がオフの状態にあるなら１時間毎に、電源がオンの状態にあるなら５分毎に消費電力の測定値を前日とは別に００：００から記憶する。日時の変更に伴い、消費電力検知部６は、前日に使用した電気料金の合計をメモリ６０に記憶させる。メモリ６０に記憶している上記内容の一部、または、全てを表示部７は表示することができる。
【００３８】
なお、本実施例において、消費電力検知部６は、第１の時間間隔、及び、第２の時間間隔毎の消費電力をメモリ６０に記憶させているが、１日毎の第１の時間間隔での消費電力の総和、及び、１日毎の第２の時間間隔での消費電力の総和で表示しても良い。また、何れか一方を、予め定めた時間間隔での消費電力の総和でメモリ６０に記憶させ、もう一方を予め定めた時間間隔毎にメモリ６０に記憶させても良い。
【００３９】
以下、本発明を適用した消費電力検知部６がメモリ６０に記憶させている消費電力等の情報に基づいて、表示部７に表示を行う時の例を示す。なお、煩雑さを避けるために、一度述べたものについては、その繰り返した説明を省略する。
【００４０】
図５は、消費電力検知部６がメモリ６０に記憶されている消費電力の情報に基づいて、１日毎の各項目をまとめたものである。積算消費電力は、１日毎の消費電力の総和を示している。積算使用時間は、１日毎の電源がオンの状態である時の時間の総和を示している。積算待機時間は、１日毎の電源がオフの状態である時の時間の総和を示している。積算電気料金は、予め登録されている単位電力当りの電気料金に基づく、１日毎の電気料金の目安を示している。
【００４１】
図５に示されている通り、メモリ６０は１日毎に分割して消費電力等を記憶している。
【００４２】
図６は、電源管理部６がメモリ６０に記憶されている消費電力の情報に基づいて、１週間毎の各項目をまとめたものである。
【００４３】
図７は、電源管理部６がメモリ６０に記憶されている消費電力の情報に基づいて、曜日毎の各項目の平均値を求めたものである。平均消費電力は、当該曜日において消費した電力の平均値を示している。平均使用時間は、当該曜日において電源がオンの状態である時の時間の平均値を示している。平均待機時間は、当該曜日において電源がオフの状態である時の時間の平均値を示している。積算電気料金は、予め登録されている単位電力当りの電気料金に基づく、当該曜日での電気料金の目安の平均値を示している。
【００４４】
図８は、電源管理部６がメモリ６０に記憶されている消費電力の情報に基づいて、１月の曜日毎の各項目をまとめたものである。
【００４５】
なお、上記メモリ６０に記憶されるデータは一例であり、必要に応じて、変更、削除等を行うことができる。また、表示部７に表示する情報も記憶されるデータの一部であっても良い。また、表示部７を備えていない電子機器であっても、例えば、エアコンであっても、別の方法でメモリ６０に記憶させた情報を出力させても良い。また、表示部７に示すのは本実施例で説明したテーブルではなく、折れ線グラフ等の方法であっても良い。
【図面の簡単な説明】
【００４６】
【図１】本発明を適用したテレビジョン装置のブロック図である。
【図２】本発明を適用したメモリが記憶する１日毎に分けられた記憶領域である。
【図３】本発明を適用したメモリが記憶する時の処理を示したフローチャートである。
【図４】本発明を適用したメモリが記憶する１日毎に分けられた記憶領域が記憶する内容の一例である。
【図５】本発明を適用したメモリが記憶する情報を１日毎に各項目でまとめたものである。
【図６】本発明を適用したメモリが記憶する情報を１週間毎に各項目でまとめたものである。
【図７】本発明を適用したメモリが記憶する情報を曜日毎に各項目でまとめたものである。
【図８】本発明を適用したメモリが記憶する情報を１月毎に各項目でまとめたものである。
【符号の説明】
【００４７】
２−操作部
３−制御部
４−電源部
５−日時管理部
６−消費電力検知部
７−表示部
６０−メモリ
【図１】
0004518110.tif 000002
【図２】
0004518110.tif 000003
【図３】
0004518110.tif 000004
【図４】
0004518110.tif 000005
【図５】
0004518110.tif 000006
【図６】
0004518110.tif 000007
【図７】
0004518110.tif 000008
【図８】
0004518110.tif 000009